(57)【要約】【課題】台風のような強い風を伴った雨でも、室内側に雨水の浸入するのを防止できる屋外フードを提供することを目的とする。【解決手段】室内と室外を連通するダクト１内に嵌挿される筒部２を有したベース部３と、ベース部３の室内側に下方に開口部４を形成するように設けられるフード部５と、ベース部３の下方部にフード部５の横幅より広い形状で、外壁面から遠ざかる方向に傾斜した水切板８の上面９とフード部５の側面下端部１０が近接する構成とすることにより、台風のような強い風を伴った雨でも、室内側に雨水の浸入するのを防止できる屋外フードを得られる。【選択図】図１
2007225164.tif 000002
【特許請求の範囲】
【請求項１】
室内と室外を連通するダクト内に嵌挿される筒部を有したベース部と、このベース部の室外側に、下方に開口部を形成するように設けられるフード部と、前記ベース部の下方部に、前記フード部の横幅より広い形状で、外壁面から遠ざかる方向に傾斜した水切板とを備え、前記水切板の上面と前記フード部の側面下端部が近接する構成とした屋外フード。
【請求項２】
水切板の上面にフード部の側面部と平行となる水の流れを遮へいする凸部を形成した請求項１記載の屋外フード。
【請求項３】
水切板の上面にフード部の側面下端部が嵌入する凹溝を設けた請求項１記載の屋外フード。
【請求項４】
水切板の上面に弾性部材を貼付けた請求項１記載の屋外フード。
【請求項５】
水切板を軟質の樹脂材料で形成した請求項１記載の屋外フード。
【請求項６】
フード部の形状を、フード部の側面部下端部が外壁面側から正面部に向かい下方に傾斜する形状に設け、前記フード部の側面部と正面部とをつなぐ稜線をフード部の最下端位置とし、前記稜線は筒部の外径よりも外側に位置する構成とした請求項１〜５のいずれかに記載の屋外フード。
【請求項７】
フード部の側面部と正面部とをつなぐ領域を１面または複数面により形成した請求項１〜５のいずれかに記載の屋外フード。
【請求項８】
フード部の最下端部の位置を水切板の最下端部の位置より下側に設けた請求項１〜７のいずれかに記載の屋外フード。
【請求項９】
水切板の最下端部の位置を外壁面から１５ｍｍ〜３０ｍｍの範囲内に設けた請求項１〜８のいずれかに記載の屋外フード。
【請求項１０】
水切板の両外側端部壁から離れる方向に立ち上がっている立ち上がり部を形成した請求項１〜９のいずれかに記載の屋外フード。
【請求項１１】
水切板表面およびフード部表面に光触媒塗装を施し、光触媒塗装膜を形成した請求項１〜１０のいずれかに記載の屋外フード。
【請求項１２】
水切板表面およびフード部表面に撥水塗装を施し、撥水塗装膜を形成した請求項１〜１０のいずれかに記載の屋外フード。
【発明の詳細な説明】
【技術分野】
【０００１】
本発明は、住宅等の室内空気を換気するときに、建物の外壁部分に設置される屋外フードに関する。
【背景技術】
【０００２】
従来、この種の屋外フードの一例として水切板を設けた換気フードが知られている（例えば、特許文献１参照）。
【０００３】
以下、その換気フードについて図１２および図１３を参照にしながら説明する。
【０００４】
図に示すように、水切板１０１はフード１０２の横幅より大きくした水受け部１０３を有し、その下方先端は壁１０４から離れるように折り曲げられ、水切板１０１の幅はフード１０２の幅より片側で５ｍｍ大きくしている。また、水受け部１０３は雨水が水切板１０１先端へ流れるように上方へ向い折り曲げられた水切縁部１０５が設けられている。
【特許文献１】特開平１１−２８１１１２号公報（［００１４］図１、図２）
【発明の開示】
【発明が解決しようとする課題】
【０００５】
このような従来の換気フードでは、水切板１０１はフード１０２の下端部より離れて設けられていることにより、強風時には、フード１０２内に吹き込む風により、水切板１０１で受け止められていた雨水が水切板１０１上をフード１０２の中心方向に流れ、フード１０２内に移動し室内に浸入するという課題があり、強風時においても雨水が室内に浸入しないようにすることが要求されている。
【０００６】
本発明は、従来のこのような課題を解決するものであり、台風のような強い風を伴った雨でも室内側に雨水が浸入するのを防止できる屋外フードを提供することを目的としている。
【課題を解決するための手段】
【０００７】
本発明の屋外フードは上記目的を達成するために、室内と室外を連通するダクト内に嵌挿される筒部を有したベース部と、このベース部の室外側に、下方に開口部を形成するように設けられるフード部と、前記ベース部の下方部に、前記フード部の横幅より広い形状で、外壁面から遠ざかる方向に傾斜した水切板とを備え、前記水切板の上面と前記フード部の側面下端部が近接する構成としたものである。
【０００８】
この手段により、室内に雨水の浸入を防止できる屋外フードが得られる。
【０００９】
また、他の手段は、水切板の上面にフード部の側面部と平行となる水の流れを遮へいする凸部を形成したものである。
【００１０】
この手段により、室内への雨水の浸入を防止できる屋外フードが得られる。
【００１１】
また、他の手段は、水切板の上面にフード部の側面下端部が嵌入する凹溝を設けたものである。
【００１２】
この手段により、室内への雨水の浸入を防止できる屋外フードが得られる。
【００１３】
また、他の手段は、水切板の上面に弾性部材を貼付けたものである。
【００１４】
この手段により、室内への雨水の浸入を防止できる屋外フードが得られる。
【００１５】
また、他の手段は、水切板を軟質の樹脂材料で形成したものである。
【００１６】
この手段により、室内への雨水の浸入を防止できる屋外フードが得られる。
【００１７】
また、他の手段は、フード部の形状を、フード部の側面部下端部が外壁面側から正面部に向かい下方に傾斜する形状に設け、前記フード部の側面部と正面部とをつなぐ稜線をフード部の最下端位置とし、前記稜線は筒部の外径よりも外側に位置する構成としたものである。
【００１８】
この手段により、フード部下端から滴下する雨水が室内に浸入するのを低減することができる屋外フードが得られる。
【００１９】
また、他の手段は、フード部の側面部と正面部とをつなぐ領域を１面または複数面により形成したものである。
【００２０】
この手段により、室内への雨水の浸入を低減することができる屋外フードが得られる。
【００２１】
また、他の手段は、フード部の最下端部の位置を水切板の最下端部の位置より下側に設けたものである。
【００２２】
この手段により、室内への雨水の浸入を低減することができる屋外フードが得られる。
【００２３】
また、他の手段は、水切板の最下端部の位置を外壁面から１５ｍｍ〜３０ｍｍの範囲内に設けたものである。
【００２４】
この手段により、室内への雨水の浸入を防止できるとともに、外壁面の汚れを防止できる屋外フードが得られる。
【００２５】
また、他の手段は、水切板の両外側端部壁から離れる方向に立ち上がっている立ち上り部を形成したものである。
【００２６】
この手段により、雨水によって外壁面が汚れるのを防止できる屋外フードが得られる。
【００２７】
また、他の手段は、水切板表面およびフード部表面に光触媒塗装を施し、光触媒塗装膜を形成したものである。
【００２８】
この手段により、雨水によってフード部表面についた汚れを含んだ状態で外壁面に垂れる汚れを低減できるという屋外フードが得られる。
【００２９】
また、他の手段は、水切板表面およびフード部表面に撥水塗装を施し、撥水塗装膜を形成したものである。
【００３０】
この手段により、屋外フードがきれいな状態を保つことができるとともに、外壁面に垂れる汚れを低減できるという屋外フードが得られる。
【発明の効果】
【００３１】
本発明によれば、室内に雨水の浸入を防止できるという効果のある屋外フードを提供できる。
【００３２】
また、フード部下端から滴下する雨水が室内に浸入するのを低減することができるという効果のある屋外フードを提供できる。
【００３３】
また、室内への雨水の浸入を防止するとともに、外壁面の汚れを防止できるという効果のある屋外フードを提供できる。
【００３４】
また、フード部表面についた汚れを含んだ状態で外壁面に垂れる汚れを低減できるという効果のある屋外フードを提供できる。
【００３５】
また、屋外フードがきれいな状態を保つことができるとともに外壁面に垂れる汚れを低減できるという効果のある屋外フードを提供できる。
【発明を実施するための最良の形態】
【００３６】
本発明の請求項１記載の屋外フードは、室内と室外を連通するダクト内に嵌挿される筒部を有したベース部と、このベース部の室外側に、下方に開口部を形成するように設けられるフード部と、前記ベース部の下方部に、前記フード部の横幅より広い形状で、外壁面から遠ざかる方向に傾斜した水切板とを備え、前記水切板の上面と前記フード部の側面下端部が近接する構成としたものであり、フード部の外周を伝って下降し、水切板上に流れた雨水は、強い風を受けても、水切板の上面がフード部の側面下端部に近接されていることにより、水切板上に流れた水は垂直に落下し、フード部内に浸入するのが防止され、フード部の中央部に雨水が浸入しないことにより、室内への雨水の浸入を防止できるという作用を有する。
【００３７】
また、請求項２記載の屋外フードは、水切板の上面にフード部の側面部と平行となる水の流れを遮へいする凸部を形成したものであり、フード部の外周を伝って下降し、水切板上に流れた雨水が強い風を受けてフード部側に流れようとしても水切板上に設けた水を遮へいする凸部により案内され雨水は垂直に落下し、フード内に浸入するのが防止され、フード部の中央部に雨水が浸入しないことにより、案内への雨水の浸入を防止できるという作用を有する。
【００３８】
また、請求項３記載の屋外フードは、水切板の上面にフード部の側面下端部が嵌入する凹溝を設けたものであり、フード部の外周を伝って下降し、水切板上に流れた雨水が、強い風を受けてフード部側に流れようとしても、水切板上面とフード部下端部との間の隙間がなくなり、水切板上に流れた雨水は水切板の端部から垂直に落下し、フード部内に浸入するのが防止され、フード部の中央部に雨水が浸入しないことにより、室内への雨水の浸入を防止できるという作用をする。
【００３９】
また、請求項４記載の屋外フードは、水切板の上面に弾性部材を貼付けたものであり、フード部の外周を伝って下降し、水切板上に流れた雨水が強い風を受けてフード部側に流れようとしても、水切板上に設けた弾性部材にフード部の下端部が当接されているので、水切板上面とフード部下端部との間の隙間がなくなり水切板に流れた雨水は水切板の端部より垂直に落下し、フード部内に浸入するのが防止され、フード部の中央部に雨水が浸入しないことにより、室内への雨水の浸入を防止できるという作用を有する。
【００４０】
また、請求項５記載の屋外フードは、水切板を軟質の樹脂材料で形成したものであり、フード部の外周を伝って下降し、水切板上に流れた雨水が強い風を受けてフード部に流れようとしても、水切板を軟質の樹脂材料で形成しているのでフード部の側面側の下端部が水切板の表面上に当接したとき、水切板の表面がめり込むようになり、フード部と水切板との間の隙間がなくなり、水切板に流れた雨水は水切板の端部より垂直に落下し、フード部内に浸入するのが防止され、フード部の中央部に雨水が浸入しないことにより室内への雨水の浸入を防止できるという作用を有する。
【００４１】
また、請求項６記載の屋外フードは、フード部の形状を、フード部の側面部下端部が外壁面側から正面部に向かい下方に傾斜する形状に設け、前記フード部の側面部と正面部とをつなぐ稜線をフード部の最下端位置とし、前記稜線は筒部の外径よりも外側に位置する構成としたものであり、フード部の側面を伝った雨水は、強い風を伴った雨が発生したとき、フード部の下部周辺の下方部で発生する室内側に向かう風は、筒部の外径の幅領域が強く、いわゆるフード部下端部で下からあおられるような風となり、フード部下端より滴下する雨水が室内に浸入するのを低減することができるという作用を有する。
【００４２】
また、請求項７記載の屋外フードは、フード部の側面部と正面部とをつなぐ領域を１面または複数面により形成したものであり、フード部の側面部と正面部をつなぐ領域が複数面に分割されているので、フード部から滴下する雨水の滴下位置が分散されることとなり、正面部の１箇所から多く滴下させる場合のように室内へ入る量が多くなるのが緩和され、室内への水の浸入を低減することができるという作用を有する。
【００４３】
また、請求項８記載の屋外フードは、フード部の最下端部の位置を水切板の最下端部の位置より下側に設けたものであり、フードの内側に位置する部分の水切板の最下端部の位置から滴下する雨水は、その滴下位置がフード部の内部に位置するため、室内側へ向かう風速が弱いため外風の影響を受けることが低減されることとなり、室内への水の浸入を低減することができるという作用を有する。
【００４４】
また、請求項９記載の屋外フードは、水切板の最下端部の位置を外壁面から１５ｍｍ〜３０ｍｍの範囲内に設けたものであり、水切板の下端から滴下する雨水は外壁面から３０ｍｍ以下に離れた位置となるため、滴下する雨水がフード部の下部周辺で室内側に向かう外風にあおられて室内に浸入するのを防止することができ、また、フード部の周辺に付着した汚れを含んでいる汚い水は、外壁面から１５ｍｍ以上離れた水切板の下端部の位置から滴下することとなり、外壁面を汚染するのを防止できるという作用を有する。
【００４５】
また、請求項１０記載の屋外フードは、水切板の両外側端部壁から離れる方向に立ち上がっている立ち上り部を形成したものであり、水切板上を流れる雨水が水切板からさらに外側に漏れることが立ち上り部により阻止されてなくなり、水切板上を流れ、水切板の下端から落下することにより、外壁面から離れた位置に落下させることができ、雨水によって外壁面が汚れるのを防止できるという作用を有する。
【００４６】
また、請求項１１記載の屋外フードは、水切板表面およびフード部表面に光触媒塗装を施し、光触媒塗装膜を形成したものであり、フード部および水切板に付いたほこりや汚れは、光触媒塗装によって自然に汚れが分解するので、雨水によってフード部および水切板表面についた汚れを含んだ水が外壁面に垂れ外壁面を汚染するのを低減することができるという作用を有する。
【００４７】
また、請求項１２記載の屋外フードは、水切板表面およびフード部表面に撥水塗装を施し、撥水塗装膜を形成したものであり、フード部および水切板に付着した汚れがフード部および水切板に固着するのを防止することにより、降雨時、フード部や水切板の表面についた汚れを雨で速やかに流れ落とすことができ、屋外フードをきれいな状態で保持することができ、また、フード表面についた汚れを含んだ水が外壁面から垂れるという外壁面の汚れるのを防止できるという作用を有する。
【００４８】
以下、本発明の実施の形態について図面を参照しながら説明する。
【００４９】
（実施の形態１）
図１および図２に示すように、室内と室外を連通するダクト１内に嵌挿される筒部２を有したベース部３と、ベース部３の室外側に下方に開口部４を形成するように設けられるフード部５と、ベース部３の下方部にフード部５の横幅より広い形状で壁部６の外壁面７から遠ざかる方向に傾斜した水切板８とを備え、水切板８の上面９とフード部５の側面下端部１０が近接する構成とする。なお近接とは当接して密接状態になるのが性能上望ましいが、製造上のバラツキにより０ｍｍから３ｍｍ程度の範囲のものをいう。
【００５０】
上記構成において、雨降りにフード部５の外周を伝って下降し、水切板８の上面９に流れた雨水は、強い風を受けても水切板８の上面９がフード部５の側面下端部１０に近接されていることにより、水切板８の先端部より垂直に落下し、フード部５内に浸入するのが防止されフード部５の中央部側に雨水が浸入しないことにより室内への雨水の浸入を防止できることとなる。
【００５１】
（実施の形態２）
図３に示すように、水切板８Ａの上面９Ａにフード部５Ａの側面部１１と平行となる水の流れを遮へいする凸部１２を形成し構成する。
【００５２】
上記構成において、雨降りにフード部５Ａの外周を伝って下降し、水切板８Ａの上面９Ａに流れた雨水が強い風を受けてフード部５Ａ側に流れようとしても、水切板８Ａの上面９Ａに設けた水の流れを遮へいする凸部１２により、水切板８Ａの下端部に案内され雨水は垂直に落下し、フード部５Ａ内に浸入するのが防止されフード部５Ａの中央部側に雨水が浸入しないことにより、室内への雨水の浸入を防止できることとなる。
【００５３】
（実施の形態３）
図４に示すように、水切板８Ｂの上面９Ｂにフード部５Ｂの側面下端部１０Ａが嵌入する凹溝１３を設け構成する。
【００５４】
上記構成において、雨降りにフード部５Ｂの外周を伝って下降し、水切板８Ｂの上面９Ｂ上に流れた雨水が強い風を受けてフード部５Ｂ内に流れようとしても、水切板８Ｂの上面９Ｂとフード部５Ｂの側面下端部１０Ａとの間に隙間がないので水切板８Ｂの上面９Ｂ上に流れた雨水は水切板８Ｂの下端部から垂直に落下し、フード部５Ｂ内に浸入するのが防止され、フード部５Ｂ内の中央部側に雨水が浸入しないことにより、室内への雨水の浸入が防止されることとなる。
【００５５】
（実施の形態４）
図５に示すように、水切板８Ｃの上面９Ｃに弾性部材１４を貼り付け構成する。
【００５６】
上記構成において、雨降りにフード部５Ｃの外周を伝って下降し、水切板８Ｃ上に流れた雨水が強い風を受けてフード部５Ｃ内に流れようとしても、水切板８Ｃの上面９Ｃに設けた弾性部材１４により、フード部５Ｃの側面下端部１０Ｂとの間に隙間がなくなり、水切板８Ｃに流れた雨水は水切板８Ｃの下端部より垂直に落下し、フード部５Ｃ内に浸入するのが防止され、フード部５Ｃの中央部側に雨水が浸入しないことにより、室内への雨水の浸入を防止できることとなる。
【００５７】
（実施の形態５）
図６に示すように、水切板８Ｄを軟質の樹脂材料で形成し構成する。
【００５８】
上記構成において、雨降りに、フード部５Ｄの外周を伝って下降し、水切板８Ｄの上面９Ｄに流れた雨水が強い風を受けてフード部５Ｄ内に流れようとしても、水切板８Ｄを軟質の樹脂材料で形成しているので、フード部５Ｄの側面下端部１０Ｃが水切板８Ｄの上面９Ｄに当接したときに、水切板８Ｄの上面９Ｄが凹みフード部５Ｄの側面下端部１０Ｃがめり込むようになり、フード部５Ｄと水切板８Ｄとの間に隙間がなくなり、水切板８Ｄの上面９Ｄに流れた雨水は、水切板８Ｄの下端部より垂直に落下し、フード部５Ｄ内に浸入するのが防止され、フード部５Ｄ中央部側に雨水が浸入しないことにより、室内への雨水の浸入を防止できることとなる。
【００５９】
（実施の形態６）
図７および図８に示すように、フード部５Ｅの形状を、フード部５Ｅの側面部１１Ａの下端部１５を外壁面７Ａ側から正面部１６に向かい下方に傾斜する形状に設け、フード部５Ｅの側面部１１Ａと正面部１６とをつなぐ稜線１７をフード部５Ｅの最下端位置とし、稜線１７は筒部２の外径より外側に位置するように設け、フード部５Ｅの側面部１１Ａと正面部１６とをつなぐ領域を１面または複数面により形成し、フード部５Ｅの最下端に設けたフード部の最下端部１８の位置を水切板の最下端部１９より下側に設け、水切板の最下端部１９の位置を、外壁面７Ａからの寸法（Ａ）を１５ｍｍ〜３０ｍｍの範囲に設け構成する。
【００６０】
上記構成においては、フード部５Ｅの形状をフード部５Ｅの側面部１１Ａの下端が外壁面７Ａ側から正面部１６に向かい下方に形状に設け、フード部５Ｅの側面部１１Ａと正面部１６とをつなぐ稜線１７をフード部５Ｅの最下端位置とし、稜線１７は筒部２の外径より外側に位置するように設けているので、フード部５Ｅの側面から伝った雨水は、フード部５Ｅの下端部１５が前方に行くに従って下方に傾斜していて、雨水はそのフード部の最下端部１８で滴下することとなるが、その位置（稜線１７の下端位置）が筒部２の外径より外側に位置することとなる。ところで、強い風を伴った台風のようなときは、フード部５Ｅの下部周辺にフード部５Ｅの内部に流れる風が発生する。この風は筒部２の外径より内側の領域が最も強く、外側の領域は弱い風となるため、フード５Ｅの側面から伝って筒部２の外径より外側に位置するフード部の最下端部１８から滴下する雨水はフード部５Ｅ内にあおられて流れることがないので室内側に雨水の浸入するのを防ぐことができることとなる。
【００６１】
また、フード部５Ｅの側面部１１Ａと正面部１６とをつなぐ領域を１面または複数面により形成しているので、フード部５Ｅから滴下する雨水の滴下位置が分散されることとなり、正面部１６の１箇所から多く滴下した場合のように室内へ入る雨水の量が多くなるのを緩和することができ、室内への雨水の浸入を低減することができることとなる。
【００６２】
また、フード部の最下端部１８の位置を、水切板８Ｅの設けた水切板の最下端部１９の位置より下側に設けたので、フード５Ｅの内側に位置する部分の水切板の最下端部１９から雨水が滴下する際、強い風を伴った台風のようなときには、フード部５Ｅの下部周辺で、ダクト開口部２０に向かう風が発生するが、この風はフード部５Ｅの正面部１６の下端から、下端より下側の付近が一番強く、フード５Ｅの下端より上端すなわちフード５Ｅ内部側はやや弱くなる。また、外壁面７Ａ側近傍では弱い。そして、水切板８Ｅ上の雨水は水切板の最下端部１９から滴下するが、その滴下位置がダクト開口部２０に向かう風がやや弱い領域で滴下するため、フード部の最下端部１８の周辺のフード部５Ｅへの吹き込みによって、水滴がフード部５Ｅにあおられることがないので、室内への雨水の浸入を低減することができることとなる。
【００６３】
また、水切板の最下端部１９の位置を外壁面７Ａから１５ｍｍ〜３０ｍｍの寸法（Ａ）の範囲内に設けたので、滴下する雨水がフード部５Ｅの下部周辺であおられる風によって室内への浸入を低減できるとともに、フード部５Ｅの周辺に付着した汚れを含んでいる雨水は、外壁面７Ａから１５ｍｍ以上離れた水切板の最下端部１９の位置から滴下することとなり、外壁面７Ａを汚染するのが防止できることとなる。
【００６４】
（実施の形態７）
図９に示すように、水切板８Ｆの両外側端部を壁から離れる方向に立ち上り部２１を形成して構成する。
【００６５】
上記構成においては、フード部５Ｆの外周および水切板８Ｆが汚れている場合でも、降雨時にフード部５Ｆの外周および水切板８Ｆの表面を伝って流れる雨水は、立ち上り部２１により水切板８Ｆの横方向に漏れることなく、外壁面（図示せず）から離れて落ちることとなり、外壁面を汚さないようにできることとなる。
【００６６】
（実施の形態８）
図１０に示すように、水切板８Ｇの表面およびフード部５Ｇの表面に光触媒塗装を施し光触媒塗装膜２２を形成し構成する。
【００６７】
上記構成においては、水切板８Ｇおよびフード部５Ｇ表面に光触媒がコーティングされ光触媒塗装膜２２が形成されていることにより、自然光によって自然にフード部５Ｇおよび水切板８Ｇ表面の汚れが分解され、降雨時に雨水が汚れを吸収し汚れた水となって外壁面７Ｂを伝って外壁面７Ｂを汚すのを防止できることとなる。
【００６８】
（実施の形態９）
図１１に示すように水切板８Ｈの表面およびフード部５Ｈの表面に撥水塗装を施し、撥水塗装膜２３を形成し構成する。
【００６９】
上記構成においては、降雨時、フード部５Ｈおよび水切板８Ｈの表面上の汚れが雨水で流されることとなり、屋外フード５Ｈをきれいな状態で維持することができることとなる。
【産業上の利用可能性】
【００７０】
本発明にかかる屋外フードの水切板の構造は、室内側に雨水が浸入するのを防止できる構造によって、換気装置、送風機等に取り付けられるフードにも適用できる。
【図面の簡単な説明】
【００７１】
【図１】本発明の実施の形態１の屋外フードの設置状態を示す断面図
【図２】同屋外フードの斜視図
【図３】本発明の実施の形態２の屋外フードの水切板部分を示す部分斜視図
【図４】本発明の実施の形態３の屋外フードの水切板部分を示す部分斜視図
【図５】本発明の実施の形態４の屋外フードの水切板部分を示す部分斜視図
【図６】本発明の実施の形態５の屋外フードの斜視図
【図７】本発明の実施の形態６の屋外フードの正面図
【図８】同屋外フードの設置状態を示す断面図
【図９】本発明の実施の形態７の屋外フードの水切板部分を示す部分斜視図
【図１０】本発明の実施の形態８の屋外フードの斜視図
【図１１】本発明の実施の形態９の屋外フードの斜視図
【図１２】従来の換気フードの設置状態を示す断面図
【図１３】同換気フードの正面図
【符号の説明】
【００７２】
１      ダクト
２      筒部
３      ベース部
４      開口部
５      フード部
５Ａ    フード部
５Ｂ    フード部
５Ｅ    フード部
５Ｇ    フード部
５Ｈ    フード部
７      外壁面
７Ａ    外壁面
８      水切板
８Ａ    水切板
８Ｂ    水切板
８Ｃ    水切板
８Ｄ    水切板
８Ｆ    水切板
８Ｇ    水切板
８Ｈ    水切板
９      上面
９Ａ    上面
９Ｂ    上面
９Ｃ    上面
１０    側面下端部
１０Ａ  側面下端部
１１    側面部
１１Ａ  側面部
１２    凸部
１３    凹溝
１４    弾性部材
１５    下端部
１６    正面部
１７    稜線
１８    フード部の最下端部
１９    水切板の最下端部
２１    立ち上り部
２２    光触媒塗装膜
２３    撥水塗装膜
【図１】
2007225164.tif 000003
【図２】
2007225164.tif 000004
【図３】
2007225164.tif 000005
【図４】
2007225164.tif 000006
【図５】
2007225164.tif 000007
【図６】
2007225164.tif 000008
【図７】
2007225164.tif 000009
【図８】
2007225164.tif 000010
【図９】
2007225164.tif 000011
【図１０】
2007225164.tif 000012
【図１１】
2007225164.tif 000013
【図１２】
2007225164.tif 000014
【図１３】
2007225164.tif 000015